(57)【要約】【課題】  器具を小型化しても植物への水分供給を均一かつ十分に行うことができ、衛生状態の良い栽培環境を長期間維持することのできる植物栽培器具を提供すること。【解決手段】吸水機能を有する微多孔質体から構成され、微多孔質体に保持された水分を植物２に吸引させる植付部材１０を備えた植物栽培器具１において、吸水機能を有する微多孔質体から構成され、下端を液体に浸漬させた状態で植付部材１０を収容する収容部材２０と、収容部材２０内に植付部材１０を液体に浸漬させない高さ位置に配置するための支持部材３０とを装備する。【選択図】  図２                    
0003102581.tif 000002
【実用新案登録請求の範囲】
【請求項１】
吸水機能を有する微多孔質体から構成され、該微多孔質体に保持された水分を植物に吸
引させる植付部材を備えた植物栽培器具において、                                  
吸水機能を有する微多孔質体から構成され、下端を液体に浸漬させた状態で前記植付部
材を収容する収容部材と、
該収容部材内に前記植付部材を液体に浸漬させない高さ位置に配置するための支持部材
とを備えていることを特徴とする植物栽培器具。
【請求項２】
前記植付部材に吸水機能を有する吸水部材が配設され、
前記植付部材が、前記吸水部材を介して前記収容部材の内部の液体を吸水することを特
徴とする請求項１記載の植物栽培器具。
【請求項３】
前記支持部材が、吸水機能を有する微多孔質体から構成され、                      
前記植付部材が、前記支持部材を介して前記収容部材の内部の液体を吸水することを特
徴とする請求項１記載の植物栽培器具。
【請求項４】
前記収容部材の内径が、前記植付部材の外径よりも大きく設計されていることを特徴と
する請求項１〜３のいずれかの項に記載の植物栽培器具。                            
【請求項５】
前記植付部材と前記収容部材との空隙に水分保持部材が充填されていることを特徴とす
る請求項４記載の植物栽培器具。
【請求項６】
前記収容部材の内径が、前記植付部材の外径と略同一に設計されていることを特徴とす
る請求項１記載の植物栽培器具。
【請求項７】
前記収容部材の吸水部分を除く外周面に水分の蒸発防ぐ蒸発防止層が形成されているこ
とを特徴とする請求項１〜６のいずれかの項に記載の植物栽培器具。
【請求項８】
前記収容部材、及び／又は前記植付部材が、高さ方向に孔径の異なる微多孔質体から構
成されていることを特徴とする請求項１〜７のいずれかの項に記載の植物栽培器具。
【請求項９】
前記収容部材が配置される貯水手段を備え、該貯水手段の下部壁面が透明体で構成され
ていることを特徴とする請求項１〜８のいずれかの項に記載の植物栽培器具。
【請求項１０】
前記貯水手段が、その底面に前記収容部材の下端を嵌め合わせるための嵌合部を備えて
いることを特徴とする請求項９記載の植物栽培器具。
【請求項１１】
前記支持部材が、前記植付部材の上端又は下端を支持するものであることを特徴とする
請求項１〜１０のいずれかの項に記載の植物栽培器具。
【請求項１２】
前記支持部材が、前記収容部材の内部に一体的に形成されているものであることを特徴
とする請求項１〜１０のいずれかの項に記載の植物栽培器具。
【請求項１３】
前記支持部材が、前記植付部材の上端を支持するとともに、前記貯水手段の開口部を覆
うものであることを特徴とする請求項９又は請求項１０記載の植物栽培器具。
【請求項１４】
前記支持部材が、前記収容部材の内部に着脱可能に取り付けられるものであることを特
徴とする請求項１〜１０のいずれかの項に記載の植物栽培器具。
【請求項１５】
前記植付部材の内部への水の流入を阻止する流入阻止手段を備えていることを特徴とす
る請求項１〜１４のいずれかの項に記載の植物栽培器具。
【請求項１６】
前記植付部材の内部に水分を保持する水分保持部材が配設されていることを特徴とする
請求項１〜１５のいずれかの項に記載の植物栽培器具。                              
【考案の詳細な説明】
【技術分野】
【０００１】
本考案は植物栽培器具に関し、より詳細には土壌を使用せずに衛生的に植物を栽培する
ことのできる植物栽培器具に関する。                                              
【背景技術】
【０００２】
近年、土壌を使用せずに植物に水分を直接供給して栽培する栽培装置が開発されている
。例えば、下記の特許文献１には、吸水能を有する微多孔質焼成体よりも低水位に位置す
る養水分を毛細管力で前記微多孔質焼成体に供給し、該微多孔質焼成体の内部に保持され
た養水分を植物の根に直接吸引させる栽培装置が開示されている。該栽培装置によれば、
メンテナンスに手間がかからず、節水できるとともに、土壌を必要としないので小型化が
容易で室内栽培も可能になるとしている。
【０００３】
しかしながら、前記栽培装置を室内用（例えば、テーブル等の上に置く程度）に小型化
すると、前記微多孔質焼成体の体積が小さくなり、その結果、前記微多孔質焼成体の内部
に保持できる水分量が少なくなり、低水位からの毛細管力のみによる水分の供給では、特
に水分要求量が比較的大きい植物などに対して、前記微多孔質焼成体の全体に均一に水分
が供給されにくくなり、植物に水分をむらなく十分に供給することが難しくなる虞がある
という問題があった。
【０００４】
また、下記の特許文献２には、水を貯留するタンクと、該タンクの上部に設けたホルダ
ーと、該ホルダーに着脱可能に装着し、前記タンク内の水を紐を介して吸水する微多孔質
体からなる植付部材とを備えた、器具の小型化が容易で、室内栽培に適した節水タイプの
植物栽培器具が開示されている。
【０００５】
しかしながら、特許文献２記載の植物栽培器具においても、紐を介した水分の供給だけ
では、前記植付部材の全体に均一に水分を供給するのは難しく、同様の問題を有している
。また、この植物栽培器具では、タンク内の水が汚れた場合、前記紐を介して汚れた水を
直接吸水することとなるので、前記植付部材が雑菌等の付着により汚れやすいという問題
もあった。
【特許文献１】特許第３０４４００６号公報
【特許文献２】特開２００２−１８６３５８号公報
【考案の開示】
【課題を解決するための手段及びその効果】
【０００６】
本考案は上記課題に鑑みなされたものであって、器具を小型化しても水分供給を均一か
つ十分に行うことができ、また衛生状態の良い栽培環境を長期間維持することができ、人
々に清潔感を与えるとともに、美感を起こさせることのできる植物栽培器具を提供するこ
とを目的としている。
【０００７】
上記目的を達成するために本考案に係る植物栽培器具（１）は、吸水機能を有する微多
孔質体から構成され、該微多孔質体に保持された水分を植物に吸引させる植付部材を備え
た植物栽培器具において、吸水機能を有する微多孔質体から構成され、下端を液体に浸漬
させた状態で前記植付部材を収容する収容部材と、該収容部材内に前記植付部材を液体に
浸漬させない高さ位置に配置するための支持部材とを備えていることを特徴としている。
【０００８】
上記植物栽培器具（１）によれば、前記植付部材が、液体に浸漬されない高さ位置に配
置された状態で前記収容部材に収容され、前記植付部材を液体に浸漬させることなく前記
収容部材の下端を液体に浸漬させることができ、前記収容部材は、その下端から自身の毛
細管力により水分を吸い上げ、前記収容部材全体に水分が保持される。したがって、前記
植付部材が、水分が保持された前記収容部材で囲まれることにより、前記植付部材からの
水分の蒸発が抑制され、しかも前記収容部材側からの水分も直接又は間接的に得ることが
可能となり、前記植付部材は、その外周面からも水分を吸引することができ、微多孔質体
内の水分量を全体に渡って均一に保つことができる。よって、前記植付部材が小型化され
ても、また、前記植付部材に植え付けられる植物が比較的水分要求量が大きなものであっ
ても、常に前記植付部材全体に渡って水分を保持させることが可能になり、均一な水分の
分布状態の下で植物に水分を供給することができ、植物をより長持ちさせることができる
。
【０００９】
また本考案に係る植物栽培器具（２）は、上記植物栽培器具（１）において、前記植付
部材に吸水機能を有する吸水部材が配設され、前記植付部材が、前記吸水部材を介して前
記収容部材の内部の液体を吸水することを特徴としている。
【００１０】
上記植物栽培器具（２）によれば、前記植付部材が、前記吸水部材を介して前記収容部
材の内部の液体を吸水するので、前記収容部材の微多孔質体により液体中の雑菌や汚れが
前記収容部材の内部に移ることが抑制されるので、前記植付部材は、前記吸水部材を介し
て、衛生状態のよい液体を吸水することができ、前記植付部材への汚れ等の発生を抑える
ことができ、衛生状態のよい栽培環境をより長期にわたり維持することができる。
【００１１】
また本考案に係る植物栽培器具（３）は、上記植物栽培器具（１）において、前記支持
部材が、吸水機能を有する微多孔質体から構成され、前記植付部材が、前記支持部材を介
して前記収容部材の内部の液体を吸水することを特徴としている。
上記植物栽培器具（３）によれば、上記植物栽培器具（２）と同様の効果を得ることが
できるとともに、前記支持部材が、吸水機能を有しているので、前記植付部材に別途、吸
水部材等を設けなくても、前記収容部材の内部の液体を前記植付部材に供給することがで
き、部品数を少なくすることができる。
【００１２】
また本考案に係る植物栽培器具（４）は、上記植物栽培器具（１）〜（３）のいずれか
において、前記収容部材の内径が、前記植付部材の外径よりも大きく設計されていること
を特徴としている。
【００１３】
上記植物栽培器具（４）によれば、前記収容部材の内径が、前記植付部材の外径よりも
大きく設計されているので、前記植付部材が前記収容部材の収容部内に空隙を設けた状態
で収容される。したがって、前記植付部材と前記収容部材との空隙は、湿度の高い状態が
保たれることとなり、前記植付部材からの水分の蒸発を抑制する効果を高めることができ
る。また、前記収容部材の内壁面から蒸発した水分や、液体表面から蒸発した水分が前記
植付部材の外壁面に吸着されるので、前記植付部材の外壁面から自身の毛細管力により水
分を内部に移動させることができ、前記植付部材の水分量を全体に渡って均一に保つこと
ができ、上記植物栽培器具（１）と略同様な効果を得ることができる。                
【００１４】
また本考案に係る植物栽培器具（５）は、上記植物栽培器具（４）において、前記植付
部材と前記収容部材との空隙に水分保持部材が充填されていることを特徴としている。
上記植物栽培器具（５）によれば、前記植付部材と前記収容部材との空隙に水分保持部
材が充填されているので、前記植付部材と前記収容部材とが前記水分保持部材を介して連
結されるので、前記収容部材から前記植付部材への水分移動を効率良く行うことができ、
前記植付部材の水分の分布状態をより均一に保つことができる。前記水分保持部材には、
例えば、前記植付部材や前記収容部材と同じ材料の微多孔質体をペレット状（前記空隙サ
イズ以下）に加工したもの、微多孔質の発砲性樹脂などを用いるのが好ましい。        
【００１５】
また本考案に係る植物栽培器具（６）は、上記植物栽培器具（１）において、前記収容
部材の内径が、前記植付部材の外径と略同一に設計されていることを特徴としている。
上記植物栽培器具（６）によれば、前記収容部材の内径が、前記植付部材の外径と略同
一に設計されているので、前記植付部材が前記収容部材の収容部内に密着した状態で収容
される。したがって、前記収容部材に保持された水分が、密着された前記植付部材の外壁
面から自身の毛細管力により直接吸引されることとなり、前記植付部材の水分の分布状態
をより均一に保つことができ、上記植物栽培器具（１）と略同様な効果を得ることができ
る。
【００１６】
また本考案に係る植物栽培器具（７）は、上記植物栽培器具（１）〜（６）のいずれか
において、前記収容部材の吸水部分を除く外周面に水分の蒸発防ぐ蒸発防止層が形成され
ていることを特徴としている。
上記植物栽培器具（７）によれば、前記収容部材の吸水部分を除く外周面に水分の蒸発
防ぐ蒸発防止層が形成されているので、前記収容部材の外周面からの水分の蒸発を防止す
ることができ、無駄な水分蒸発を抑制することができ、また、前記外周面へのかびやアオ
ミドロの発生を抑制することもでき、衛生状態を高めることができる。
【００１７】
また本考案に係る植物栽培器具（８）は、上記植物栽培器具（１）〜（７）のいずれか
において、前記収容部材、及び／又は前記植付部材が、高さ方向に孔径の異なる微多孔質
体から構成されていることを特徴としている。
上記植物栽培器具（８）によれば、前記収容部材、及び／又は前記植付部材が、高さ方
向に孔径の異なる微多孔質体から構成されているので、例えば、前記収容部材の液体に浸
漬される下端は、液体中の細菌や汚れなどを通過させない孔径とし、それより上部は、毛
細管力が強く作用する孔径とすることで、前記収容部材の内部に透過する水の衛生度を高
めることができるとともに、水分の分布状態をより均一化させやすくすることができる。
また、前記植付部材は、その上端まで毛細管力が強く作用するように、下端と上端との孔
径を異なるものとすればよく、孔径の異なる複数の微多孔質体をつなぎ合わせたもので構
成してもよい。
【００１８】
また本考案に係る植物栽培器具（９）は、上記植物栽培器具（１）〜（８）のいずれか
において、前記収容部材が配置される貯水手段を備え、該貯水手段の下部壁面が透明体で
構成されていることを特徴としている。
上記植物栽培器具（９）によれば、前記収容部材が配置される貯水手段を備え、該貯水
手段の下部壁面が透明体で構成されているので、前記貯水手段に貯められた水の状態を常
に見せることができる。また、植物は前記植付部材に植え付けられるので、植物が水に直
接浸かることがなく、水が清潔的に保たれ、土壌栽培と違って、人々に清涼感を与えると
ともに清潔感を与えることができる。また、室内環境や利用用途に応じて前記貯水手段の
形状やデザインを種々工夫することにより、美感を起こさせることができ器具の付加価値
を高めることができる。  
【００１９】
また本考案に係る植物栽培器具（１０）は、上記植物栽培器具（９）において、前記貯
水手段が、その底面に前記収容部材の下端を嵌め合わせるための嵌合部を備えていること
を特徴としている。
上記植物栽培器具（１０）によれば、前記貯水手段の底面に前記収容部材の下端を嵌め
合わせるための嵌合部が設けられるので、前記収容部材の下端を前記嵌合部に嵌め合わせ
ることにより、前記収容部材を前記嵌合部に固定することができ、安定性を良くするとと
もに、前記貯水手段の底面に前記収容部材の下端との隙間から水が流通することを防止す
ることができ、前記収容部材の内部の水の衛生状態を良い状態で保つことができる。前記
嵌合部は、例えば、前記貯水手段の底面を加工して形成したもの、あるいは別部材を底面
上に取り付けて形成したものなどとすることができる。
【００２０】
また本考案に係る植物栽培器具（１１）は、上記植物栽培器具（１）〜（１０）のいず
れかにおいて、前記支持部材が、前記植付部材の上端又は下端を支持するものであること
を特徴としている。
上記植物栽培器具（１１）によれば、前記支持部材が、前記植付部材の上端又は下端を
支持するものであるので、前記植付部材を前記収容部材の内部で、液体に漬からないよう
に配置することが可能になる。例えば、前記支持部材としては、前記植付部材の上端に装
着する蓋状部材や、前記収容部材の内部に配置され、液面よりも高くなるように設計され
た台部材等が適用される。
【００２１】
また本考案に係る植物栽培器具（１２）は、上記植物栽培器具（１）〜（１０）のいず
れかにおいて、前記支持部材が、前記収容部材の内部に一体的に形成されているものであ
ることを特徴としている。
上記植物栽培器具（１２）によれば、前記支持部材が、前記収容部材の内部に一体的に
形成されているものであるので、部品数を減らすことができるとともに、前記植付部材の
前記収容部材内部への設置を容易に行うことができるようになる。前記支持部材を微多孔
質体とすることにより、前記収容部材で吸水された水分を前記支持部材を介して前記植付
部材に供給することが可能になる。
【００２２】
また本考案に係る植物栽培器具（１３）は、上記植物栽培器具（９）又は（１０）にお
いて、前記支持部材が、前記植付部材の上端を支持するとともに、前記貯水手段の開口部
を覆うものであることを特徴としている。
上記植物栽培器具（１３）によれば、前記支持部材により前記植付部材の上端を支持す
るとともに、前記貯水手段の開口部を覆うことができ、前記貯水手段に貯められた水の蒸
発を防止することができ、水の補給頻度をさらに減らすことができる。                
【００２３】
また本考案に係る植物栽培器具（１４）は、上記植物栽培器具（１）〜（１０）のいず
れかにおいて、前記支持部材が、前記収容部材の内部に着脱可能に取り付けられるもので
あることを特徴としている。
上記植物栽培器具（１４）によれば、前記支持部材が、前記収容部材の内部に着脱可能
に取り付けられるもので、前記収容部材に収容する前記植付部材の大きさ等に合わせて前
記支持部材の取り付け位置を調整することができ、さまざまなタイプの前記植付部材に対
応させることができる。
【００２４】
また本考案に係る植物栽培器具（１５）は、上記植物栽培器具（１）〜（１４）のいず
れかにおいて、前記植付部材の内部への水の流入を阻止する流入阻止手段を備えているこ
とを特徴としている。
上記植物栽培器具（１５）によれば、前記植付部材の内部への水の流入を阻止する流入
阻止手段を備えているので、前記植付部材の内部の水の流入が阻止され、前記植付部材に
植え付けられた植物が水に浸かって、根や茎部等が腐敗するのを防止することができる。
前記流入阻止手段には、例えば、ゴム、樹脂などの弾性部材や発砲性樹脂部材などを用い
ることができ、前記支持部材、又は前記植付部材に配設される。
【００２５】
また本考案に係る植物栽培器具（１６）は、上記植物栽培器具（１）〜（１５）のいず
れかにおいて、前記植付部材の内部に水分を保持する水分保持手段が配設されていること
を特徴としている。
上記植物栽培器具（１６）によれば、前記植付部材の内部に微多孔質体から供給される
水分を保持する水分保持部材が配設されているので、前記植付部材に供給される水分が少
なくなっても前記水分保持部材に保持された水分を用いることにより、植物が枯れるのを
防ぐことができる。
【考案を実施するための最良の形態】
【００２６】
以下、本考案に係る植物栽培器具の実施の形態を図面に基づいて説明する。図１は、実
施の形態（１）に係る植物栽培器具の分解斜視図であり、図２は、実施の形態（１）に係
る植物栽培器具の縦断面図である。実施の形態（１）に係る植物栽培器具１は、植付部材
１０と、収容部材２０と、支持部材３０と、貯水容器４０とを含んで構成されている。
【００２７】
植付部材１０は、収容部材２０の内径よりも小さい外径で、収容部材２０よりも短い円
筒形状をしており、植物２が内部に植え付けられるようになっている。植付部材１０は、
微多孔質体から構成されており、水分を自身の毛細管力により吸い上げることができるよ
うになっている。前記微多孔質体とは、内部に微小な空隙や気泡が連続的に形成され、水
の移動経路が確保されたものであり、例えば、高温で焼成しても内部に微小な空隙が消失
しない原料を押し固めて形成した後、焼成して得られるセラミックス（微多孔質焼成体）
などが適用される。
【００２８】
収容部材２０は、植付部材１０の外径よりも大きい内径で、植付部材１０よりも長い円
筒形状をしており、植付部材１０が内部に収容される収容部２１を備えている。収容部材
２０は、植付部材１０と同様に吸水機能を有する微多孔質体（例えば、セラミックス等）
から構成されており、水分を自身の毛細管力により吸い上げることができるようになって
おり、また、下端部２２が貯水容器４０内の水（養分等が含まれる水も含む）に浸漬され
るようになっている。収容部材２０の下端部２２を除く外周面に水分の蒸発等を防ぐため
、ガラスなどの釉薬がコーティングされた蒸発防止層２４が形成されている。
【００２９】
支持部材３０は、収容部材２０の内径よりも小さく、かつ植付部材１０の外径よりも大
きい外径の円筒形状をした台部材から構成されており、その長さ（高さ）は、植付部材１
０を収容部材２０内部の所定の高さ位置（すなわち、貯水容器４０内に植物２の栽培に必
要な量の水を入れた状態で植付部材１０が水に浸からない高さ位置）に配置できるように
設計されている。支持部材３０も植付部材１０と同様に微多孔質体（例えば、セラミック
ス等）から構成され、水分を自身の毛細管力により吸い上げることができるようになって
おり、上端部を除いた部分が貯水容器４０内の水に浸漬されるようになっている。また、
支持部材３０の上部開口部３１には、防水部材３２が装着されており、貯水容器４０内の
水が植付部材１０の中空部へ流入するのを阻止する流入阻止手段としての機能を果たすも
のである。防水部材３２は、ゴム栓、シリコン栓などの弾性部材や、発砲スチロールなど
の発砲性樹脂部材から構成されている。
【００３０】
貯水容器４０は、上面開口の箱形状をした容器であり、該容器の下部壁面４１は透明な
樹脂やガラス等の透明体から構成されており、容器内の水の量や水の汚れ具合等が外観か
ら一目で分かるようになっている。なお、下部壁面４１の高さｈ41は、支持部材３０の高
さｈ30よりも低く（すなわち、ｈ30＞ｈ41）なるように設計されており、下部壁面４１の高さｈ41が貯水容器４０内に入れる水の最高水位に設計されている。また、下部壁面４１以外の部分は、ステンドガラス（色ガラス）などを用いて種々のデザインの模様や風景等
が描かれたもの（図示せず）となっており、水面が見える透明な下部壁面４１とのコント
ラストにより斬新かつ美感を起こさせるデザイン性の高い容器になっている。
【００３１】
また、貯水容器４０内の底面の略中央部には、収容部材２０の下端を嵌め込むための環
状の嵌合部５０が設けられている。嵌合部５０は、貯水容器４０と同質材料で一体的に形
成されたものでも、また、樹脂やゴムなどの弾性部材により形成して、底面に接着固定し
たものでもよく、嵌合部５０に収容部材２０の下端を嵌め込むことにより、収容部材２０
の下端と貯水容器４０の底面との間に隙間ができないように構成されている。
【００３２】
実施の形態（１）に係る植物栽培器具１によって植物２を栽培するには、まず、下部壁
面４１の高さｈ41よりも低水位となるように貯水容器４０内に水を注ぎ、貯水容器４０の
略中央部に収容部材２０をその下端部２２を浸漬させた状態で配置する。次に、収容部材
２０の上部開口部２３に防水部材３２が装着された面を上向きにした支持部材３０を挿入
し、浸漬させた状態で配置する。このとき支持部材３０全体が浸かっている場合は、支持
部材３０の上部部分が浸からない程度まで容器内の水量を調整する。次に、植付部材１０
の上部開口部１１から植物２の根を挿入し、植物２が植え付けられた植付部材１０を収容
部材２０の上部開口部２３に挿入し（予め植物２が植え付けられた植付部材１０を挿入し
てもよい）、植付部材１０の下端を支持部材３０上に載置して、植付部材１０が収容部２
１内に収容される。
【００３３】
実施の形態（１）に係る植物栽培器具１では、支持部材３０が貯水容器４０の水を自身
の毛細管力により吸水し、吸水された水は植付部材１０が載置された上端部まで浸透する
。そして、支持部材３０の上端部に載置された植付部材１０が自身の毛細管力により支持
部材３０が保持している水を吸水し、植付部材１０の全体に水分が吸い上げられる。また
、収容部材２０が、貯水容器４０内に浸漬されている下端部２２から自身の毛細管力によ
り吸水し、収容部材２０の全体に水分が吸い上げられる。
【００３４】
植付部材１０に植え付けられた植物２は、その環境に応じて成長するために新たな吸収
根を生やし、水を保持した植付部材１０の内壁面に吸着し、自身の吸水力のみで植付部材
１０に保持された水分や、植付部材１０の内部空間に充満した水分を吸引して成長する。
【００３５】
このように、植付部材１０が、水分を保持した収容部材２０の収容部２１内に空隙を設
けた状態で収容され、微多孔質体（例えば、セラミックス）による二重構造が形成されて
いるため、植付部材１０と収容部材２０との空隙内は、外部よりも湿度が高い状態が保た
れることとなり、植付部材１０からの水分の蒸発が抑制される。
【００３６】
また、微多孔質体はその性質上、水分吸着能も優れており、収容部材２０の内壁面から
蒸発した水分や収容部材２０内部の液面から蒸発した水分が、植付部材１０の外壁面に吸
着すると、吸着された水分が植付部材１０の有する毛細管力により内部に吸い上げられる
。したがって、植付部材１０が小型化されても、また、植付部材１０に植え付けられる植
物が比較的水分要求量が大きなものであっても、常に植付部材１０全体に渡って均一な水
分を保持させることが可能となる。
【００３７】
上記実施の形態（１）に係る植物栽培器具１によれば、植物２の成育に必要な酸素は、
その植物２と植付部材１０の内壁面との間や、植付部材１０を構成する微多孔質体の空隙
から植物２に供給されるため、貯水容器４０内の水を頻繁に交換する必要がなく、水替え
等の手間を大幅に省くことができる。また、植物２が植付部材１０に植え付けられるので
、植物２が貯水容器４０内の水に直接浸かることがなく、植物２の根腐れ等が防止でき、
根腐れ等に伴う腐敗臭の発生を防止することができ、同時に貯水容器４０内の水を衛生的
な状態で長期間保つことができる。
【００３８】
また、植付部材１０が、液体に浸漬されない高さ位置に配置された状態で収容部材２０
（収容部２１内）に収容され、植付部材１０を液体に浸漬させることなく収容部材２０の
下端を液体に浸漬させることができ、収容部材２０は、その下端から自身の毛細管力によ
り水分を吸い上げ、収容部材２０全体に水分が保持される。したがって、植付部材１０が
、水分が保持された収容部材２０の収容部２１内に空隙を設けた状態で収容され、植付部
材１０と収容部材２０との空隙は、外部より湿度の高い状態が保たれることとなり、植付
部材１０からの水分の蒸発を抑制することができる。また、収容部材２０の内壁面から蒸
発した水分や、液面から蒸発した水分が植付部材１０の外壁面に吸着し、植付部材１０の
外壁面から自身の毛細管力により水分を積極的に内部に取り込むことができ、微多孔質体
内の水分量を全体に渡って均一に保つことができる。よって、植付部材１０が小型化され
ても、また、植付部材１０に植え付けられる植物２が比較的水分要求量が大きなものであ
っても、常に植付部材１０全体に渡って水分を保持させることができ、均一な水分の分布
状態の下で植物２に水分を供給することができ、植物をより長持ちさせることができる。
【００３９】
また、植付部材１０が、支持部材３０を介して収容部材２０の内部の水を吸水するので
、収容部材２０の微多孔質体により液体中の細菌や汚れなどが収容部材２０の内部に移る
ことが防止されるので、植付部材１０は、支持部材を介して常に衛生的な水を吸水するこ
とができ、植付部材１０への汚れ等の発生を抑えることができ、衛生状態のよい栽培環境
をより長期間維持することができる。
【００４０】
また、収容部材２０の吸水部分を除く外周面に水分の蒸発防ぐ蒸発防止層２４が形成さ
れているので、収容部材２０の外周面からの水分の蒸発を防止することができ、無駄な水
分蒸発を抑制することができ、前記外周面へのかびやアオミドロの発生を抑制することも
でき、衛生状態を高めることができる。
【００４１】
また、収容部材２０を設置する貯水容器４０の下部壁面４１が透明体で構成されている
ので、貯水容器４０に貯められた水の状態を常に見せることができる。また、植物は植付
部材１０に植え付けられるので、植物が水に直接浸かることがなく、水が清潔的に保たれ
、土壌栽培と違って、人々に清涼感を与えるとともに清潔感を与えることができる。また
、室内環境や利用用途に応じて貯水容器４０の形状やデザインを種々工夫することにより
、美感を起こさせることができ、器具の付加価値を高めることができる。  
【００４２】
また、貯水容器４０の底面に収容部材２０の下端を嵌め合わせるための嵌合部５０が設
けられるので、収容部材２０の下端を嵌合部５０に嵌め合わせることにより、収容部材２
０を嵌合部５０に固定することができ、安定性を良くするとともに、収容部材２０の微多
孔質体を通過せずに、液体が収容部材２０の内部に移ることを防止することができ、収容
部材２０の内部の水の衛生状態を良い状態で保つことができる。
【００４３】
なお、上記実施の形態（１）に係る植物栽培器具１では、支持部材３０が、吸水機能を
有する微多孔質体から構成されているが、別の実施の形態では、支持部材３０を吸水機能
を有していない材料から構成してもよく、この場合は、貯水容器４０底面に接触する程度
の長さの吸水ひも（図示せず）を植付部材１０に固定してもよい。あるいは、別の実施の
形態では、植付部材１０と支持部材３０とが一体的に形成されていてもよい。
また、植付部材１０に植え付ける植物としては、室内で栽培できる植物であれば特に限
定されるものではなく、根を備えた植物以外にも、一般家庭の神棚等に飾るマキやサカキ
等の枝植物、切り花を植え付けても、上記同様の効果を得ることができる。
【００４４】
図３は、実施の形態（２）に係る植物栽培器具の分解斜視図であり、図４は、実施の形
態（２）に係る植物栽培器具の縦断面図である。但し、図１、２に示した実施の形態（１
）に係る植物栽培器具１と同一機能を有する構成部品に付いては同一符号を付し、その説
明を省略することとする。
【００４５】
実施の形態（１）に係る植物栽培器具１では、支持部材３０が植付部材１０の下部を支
持するように台材から構成されているが、実施の形態（２）に係る植物栽培器具１Ａでは
、支持部材３０Ａが植付部材１０の上部開口部１１を支持するとともに、貯水容器４０の
開口部を覆うように構成されている点が相違している。
【００４６】
植付部材１０の上端には支持部材３０Ａが配設され、下端には吸水ひも１２が配設され
ている。支持部材３０Ａは、貯水容器４０の開口部と略同一の平板形状をした蓋部材から
構成されており、その中心部には、植付部材１０の外径と略同一内径の開口部３３が形成
されており、植付部材１０の上端が嵌め込まれるようになっている。
【００４７】
吸水ひも１２は、収容部材２０内部の水を、自身の吸水力で吸水し、毛細管力により上
端まで浸透させ、その水分を植付部材１０に供給するものである。吸水ひも１２は、植付
部材１０に対して、その内径と略同一の外径の固定部材１３により固定されている。固定
部材１３は、樹脂やゴムなどの弾性部材から構成されており、下方からの水の流入を阻止
する流入阻止手段としての機能も兼ね備えている。
【００４８】
実施の形態（２）に係る植物栽培器具１Ａによって植物を栽培するには、まず、貯水容
器４０の下部壁面４１の高さｈ41よりも低水位となるように貯水容器４０内に水を注ぎ、
貯水容器４０の嵌合部５０に収容部材２０の下端を嵌め合わせる。次に支持部材３０Ａの
開口部３３を植付部材１０の上部開口部１１に嵌め込み、植付部材１０の上部開口部１１
から植物２の根を挿入して植え付け、植物２が植え付けられた植付部材１０を収容部材２
０の上部開口部２３に挿入し、支持部材３０Ａの周縁部を貯水容器４０の開口部に載せる
ことにより、植付部材１０が収容部２１内に収容される。
【００４９】
実施の形態（２）に係る植物栽培器具１Ａでは、吸水ひも１２が収容部材２０内部の水
を自身の毛細管力により吸水し、吸水された水は吸水ひも１２の上端まで浸透する。そし
て、吸水ひも１２の上端と接触している植付部材１０が自身の毛細管力により吸水ひも１
２が保持している水を吸水し、植付部材１０の全体に水分が吸い上げられる。また、収容
部材２０が、貯水容器４０内に浸漬されている下端部から自身の毛細管力により吸水し、
収容部材２０の全体に水分が吸い上げられる。
【００５０】
実施の形態（２）に係る植物栽培器具１Ａにおいても、植付部材１０が水分を保持した
収容部材２０の内部に収容され、すなわち、空隙を介して微多孔質体による二重構造が形
成されているため、実施の形態（１）に係る植物栽培器具１と略同様の作用が得られるこ
ととなる。
【００５１】
上記実施の形態（２）に係る植物栽培器具１Ａによれば、植付部材１０が、水分が保持
された収容部材２０の収容部２１内に空隙を設けた状態で収容されるので、上記実施の形
態（１）に係る植物栽培器具１と略同様の効果を得ることができる。また、植付部材１０
の上端を支持するとともに、貯水容器４０の蓋をする支持部材３０Ａにより、植付部材１
０の収容部２１内への配置が容易になるとともに、貯水容器４０からの水分蒸発を防止す
ることができる。
【００５２】
図５は、実施の形態（３）に係る植物栽培器具の分解斜視図であり、図６は、実施の形
態（３）に係る植物栽培器具の縦断面図である。但し、図１、２に示した実施の形態（１
）に係る植物栽培器具１と同一機能を有する構成部品に付いては同一符号を付し、その説
明を省略することとする。
【００５３】
実施の形態（１）に係る植物栽培器具１では、支持部材３０が１つの部品として、収容
部材２０の内部に配置されるようになっているが、実施の形態（３）に係る植物栽培器具
１Ｂでは、支持部材３０Ｂが、植付部材１０の下端を支持するように収容部材２０Ａと一
体的に形成されている点と、植付部材１０と収容部材２０Ａとの空隙に水分保持部材１５
が充填されている点が大きく相違している。
【００５４】
収容部材２０Ａは、植付部材１０の外径よりも大きい内径で、植付部材１０よりも長い
円筒形状をしており、植付部材１０が内部に収容される収容部２１を備えている。収容部
材２０Ａは、植付部材１０と同様に吸水機能を有する微多孔質体から構成され、水分を毛
細管力により吸い上げることができるようになっており、下端部２２が貯水容器４０Ａ内
の水に浸漬されるようになっている。また、植付部材１０の底面は、貯水容器４０Ａの底
面と密着できるように平面性が確保されている。
【００５５】
また、収容部材２０Ａの下端から所定の高さ位置（すなわち、貯水容器４０Ａ内に植物
の栽培に必要な量の水を入れた状態で植付部材１０が水に浸からない高さ位置）には、収
容部材２０Ａの内壁面と一体的に形成されている板状の支持部材３０Ｂが設けられている
。なお、支持部材３０Ｂは収容部材２０Ａと同じ吸水機能を有する微多孔質体から構成さ
れている。
【００５６】
また、植付部材１０内部の下端部には、植付部材１０が吸水した水分を保持するグラス
ファイバーや不織布等の水分保持部材１４が充填されており、ファイバーや不織布等の水
分保持部材１４は、水分を保持するとともに、下方からの水の流入を抑止する機能も備え
ている。
【００５７】
また、植付部材１０と収容部材２０Ａとの空隙には、植付部材１０や収容部材２０Ａと
同じ微多孔質体からなるペレット状に加工された水分保持部材１５が充填されており、植
付部材１０と収容部材２０Ａとが水分保持部材１５を介して連結されることにより収容部
材２０Ａに保持されている水分が植付部材１０に効率良く移動することができるようにな
っている。また、蓋部材５１は、植付部材１０の上端を嵌め込むための開口部５２と、植
付部材１０と収容部材２０Ａとの隙間を封止する封止部５３とを備えて構成されている。
【００５８】
また、貯水容器４０Ａは、収容部材２０Ａの外径よりも大きい内径を有する円筒部４２
と、円筒部４２に連結された略楕円球形状をした貯水部４３とを備えた容器であり、該容
器の貯水部４３は壁面が透明な樹脂やガラス等の透明体から構成されており、容器内の水
の量や水の汚れ具合等が外観から一目で分かるようになっており、また細く絞られた円筒
部４２により貯水部４３からの水分の蒸発が抑制されるようになっている。なお、貯水部
４３の高さｈ43は、支持部材３０Ｂの高さｈ30Ｂ よりも低く（すなわちｈ30Ｂ ＞ｈ43）なるように設計されており、貯水部４３の高さｈ43が貯水容器４０Ａ内に入れる水の最高水
位に設計されており、この水位以下となるように水を入れるようになっている。また、円
筒部４２は、ステンドガラス（色ガラス）等を用いて種々のデザインの模様や風景等が描
かれたものとなっており、水面が見える透明な貯水部４３とのコントラストにより斬新か
つ美感を起こさせる容器になっている。
【００５９】
実施の形態（３）に係る植物栽培器具１Ｂによって植物２を栽培するには、まず、貯水
部４３の高さｈ43よりも低水位となるように貯水容器４０Ａに水を注ぎ、貯水容器４０Ａ
の円筒部４２の開口部から収容部材２０Ａを挿入し、収容部材２０Ａを貯水容器４０Ａ内
に配置する。次に蓋部材５１の開口部５２を植付部材１０の上部開口部１１に嵌め込み、
植付部材１０の上部開口部１１から植物２の根を挿入して植え付け、植物２が植え付けら
れた植付部材１０を収容部材２０Ａの上部開口部２３に挿入し、蓋部材５１の封止部５３
を収容部材２０Ａとの隙間に嵌め合わせて、植付部材１０を支持部材３０Ｂ上に載置する
。                                                                              
【００６０】
実施の形態（３）に係る植物栽培器具１Ｂでは、収容部材２０Ａが、貯水容器４０Ａ内
に浸漬されている下部から自身の毛細管力により吸水し、収容部材２０Ａの全体に水分が
吸い上げられ、一体的に形成されている支持部材３０Ｂにも浸透する。そして、支持部材
３０Ｂ上に載置された植付部材１０が自身の毛細管力により支持部材３０Ｂから水を吸水
し、植付部材１０の全体に水分が吸い上げられる。
【００６１】
実施の形態（３）に係る植物栽培器具１Ｂにおいても、植付部材１０が水分を保持した
収容部材２０Ａの内部に収容され、すなわち、空隙を介して微多孔質体による二重構造が
形成されているため、実施の形態（１）に係る植物栽培器具１と略同様の作用が得られる
とともに、水分保持部材１５が充填されることにより、収容部材２０Ａから植付部材１０
への水分移動の効率が良くなる。
【００６２】
上記実施の形態（３）に係る植物栽培器具１Ｂによれば、支持部材３０Ｂを収容部材２
０Ａと一体化することができ、部品数を少なくすることができ、また、収容部材２０Ａの
内壁面から延設された支持部材３０Ｂが吸水機能を有する微多孔質体であるので、収容部
材２０Ａで吸水された水分を支持部材３０Ｂを介して植付部材１０に供給することが可能
となる。
【００６３】
また、植付部材１０の内部に微多孔質体から供給される水分を保持する水分保持部材１
４が配設されているので、植付部材１０に供給される水分が少なくなっても水分保持部材
１４に保持された水分を用いることにより、植物が枯れるのを効果的に防ぐことができる
。また、水分保持部材１５により収容部材２０Ａから植付部材１０への水分移動を効率良
く行うことができ、植付部材１０の水分の分布状態をより均一に保つことができる。
【００６４】
また、収容部材２０Ａの大きさに対して植付部材１０が小さくても、水分保持部材１５
を充填することにより、上記同様の効果を得ることができ、異なる大きさの植付部材１０
にも対応させることができる。また、蓋部材５１により、収容部材２０Ａと植付部材１０
との空隙からの水分蒸発を抑制することができる。
【００６５】
なお実施の形態（３）に係る植物栽培器具１Ｂでは、植付部材１０に植物の根を植え付
けるようになっているが、別の実施の形態では、切り花等の植物の茎部を植付部材１０に
植え付けてもよい。植付部材１０の内部は、植物の育成に適した湿度環境を作り出すこと
ができるので、切り花等の鑑賞用器具としても十分に機能を果たすことができる。切り花
等においても、植物の茎部を水に直接浸けなくてすむため、腐りにくくすることができ、
水も汚れることなく、しかも長持ちさせることができる。
【００６６】
また、上記実施の形態（１）〜（３）に係る植物栽培器具では、いずれも収容部材２０
（２０Ａ）の内径が、植付部材１０の外径よりも大きく設計され、植付部材１０が収容部
材２０（２０Ａ）の収容部２１内に空隙を設けた状態で収容されるようになっているが、
別の実施の形態では、収容部材２０（２０Ａ）の内径と植付部材１０の外径とを略同一に
設計して、植付部材１０が収容部材２０（２０Ａ）の収容部２１内に密着した状態で収容
されるようにしてもよく、係る構成によれば、収容部材２０（２０Ａ）に保持された水分
が、密着された植付部材１０の外壁面から自身の毛細管力により直接吸引されることとな
り、植付部材１０の水分量を全体に渡っていち早く均一に保つことができる。
【００６７】
また実施の形態（１）〜（３）に係る植物栽培器具では、収容部材２０（２０Ａ）及び
植付部材１０を構成する微多孔質体の孔径が、全体に渡り略同じものを用いている場合に
ついて説明したが、別の実施の形態では、収容部材２０（２０Ａ）及び／又は植付部材１
０を、高さ方向に孔径の異なる微多孔質体から構成してもよく、例えば、収容部材２０（
２０Ａ）の液体に浸漬される下端は、液体中の細菌や汚れなどを通過させない孔径とし、
それより上部は、毛細管力が強く作用する孔径とすることで、収容部材２０（２０Ａ）の
内部に透過する水の衛生度を高めることができるとともに、水分の分布状態をより均一化
させやすくすることが可能になる。また、植付部材１０は、その上端まで毛細管力が強く
作用するように、下端と上端との孔径を異なるものとすればよく、収容部材２０（２０Ａ
）や植付部材１０を、孔径の異なる複数の微多孔質体をつなぎ合わせたもので構成しても
よい。
【００６８】
また、実施の形態（１）〜（３）に係る植物栽培器具では、植付部材１０、収容部材２
０（２０Ａ）として円筒形状をしたものを採用した場合について説明したが、植付部材１
０、収容部材２０（２０Ａ）の形状は、これに限定されるものではなく、種々の形状のも
のを採用することができる。
【図面の簡単な説明】
【００６９】
【図１】本考案の実施の形態（１）に係る植物栽培器具を示す分解斜視図である。
【図２】実施の形態（１）に係る植物栽培器具を示す縦断面図である。
【図３】実施の形態（２）に係る植物栽培器具を示す分解斜視図である。
【図４】実施の形態（２）に係る植物栽培器具を示す縦断面図である。
【図５】実施の形態（３）に係る植物栽培器具を示す分解斜視図である。
【図６】実施の形態（３）に係る植物栽培器具を示す縦断面図である。
【符号の説明】
【００７０】
１、１Ａ、１Ｂ  植物栽培器具
１０  植付部材
２０、２０Ａ  収容部材
３０、３０Ａ、３０Ｂ  支持部材
４０、４０Ａ  貯水容器
【図１】
0003102581.tif 000003
【図２】
0003102581.tif 000004
【図３】
0003102581.tif 000005
【図４】
0003102581.tif 000006
【図５】
0003102581.tif 000007
【図６】
0003102581.tif 000008